【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
データ処理回路を備えたデータ処理システムであって、該データ処理回路が、
サンプルデータセットにデータ検出アルゴリズムを適用して検出出力を得るように動作可能なデータ検出器回路と、
該検出出力内に残っているエラーの数に対応する出力側エラーカウントを生成するように動作可能な検出出力エラーカウント回路であって、該データ処理回路の外部に該出力側エラーカウントを提供するように動作可能である、検出出力エラーカウント回路と、
該検出出力にデータ復号化アルゴリズムを適用して復号化された出力を得るように動作可能なデータ復号化器回路と、
該復号化された出力内に残っているエラーの数に対応する入力側エラーカウントを生成するように動作可能な復号化出力エラーカウント回路であって、該データ処理回路の外部に該入力側エラーカウントを提供するように動作可能である、復号化出力エラーカウント回路と
を備える、データ処理システム。
【請求項２】
前記入力側エラーカウントが、第１の入力側エラーカウントであり、前記復号化された出力が、前記データ復号化アルゴリズムを前記検出出力に適用することの第１のローカル反復に対応する第１の復号化された出力であり、前記データ復号化器回路が、該データ復号化アルゴリズムを該検出出力に適用して、該データ復号化アルゴリズムを該検出出力に適用することの第１のローカル反復に対応する第２の復号化された出力を得るように動作可能であり、前記復号化出力エラーカウント回路が、該第２の復号化された出力内に残っているエラーの数に対応する第２の入力側エラーカウントを生成するように更に動作可能である、請求項１に記載のデータ処理システム。
【請求項３】
前記データ検出アルゴリズムが、ビタビデータ検出アルゴリズム及び最大事後データ検出アルゴリズムからなる群から選択される、請求項１に記載のデータ処理システム。
【請求項４】
前記データ復号化器回路が、低密度パリティチェック復号化器回路である、請求項１に記載のデータ処理システム。
【請求項５】
前記データ処理システムが、記憶デバイス及び受信デバイスからなる群から選択されたデバイスの一部として実施される、請求項１に記載のデータ処理システム。
【請求項６】
前記入力側エラーカウント及び前記出力側エラーカウントが、前記デバイスの外部に提供される、請求項５に記載のデータ処理システム。
【請求項７】
前記データ処理システムが、集積回路の一部として実施される、請求項１に記載のデータ処理システム。
【請求項８】
前記入力側エラーカウント及び前記出力側エラーカウントが、前記集積回路の外部に提供される、請求項７に記載のデータ処理システム。
【請求項９】
プロセッサ及びコンピューター可読媒体を更に含み、該コンピューター可読媒体が、前記入力側エラーカウント及び前記出力側エラーカウントに少なくとも部分的に基づいて前記データ処理回路の特徴を求める、該プロセッサによって実行可能な命令を含む、請求項１に記載のデータ処理システム。
【請求項１０】
前記プロセッサによって実行可能な前記命令が、複数の出力側エラーカウント及び複数の入力側エラーカウントをプロットするように実行可能な命令を含む、請求項９に記載のデータ処理システム。
【請求項１１】
前記プロセッサによって実行可能な前記命令が、前記複数の出力側エラーカウントを平均化して第１の曲線を得ると共に前記複数の入力側エラーカウントを平均化して第２の曲線を得るように実行可能な命令を含む、請求項１０に記載のデータ処理システム。
【請求項１２】
データ処理回路、プロセッサ、及びコンピュータ可読媒体を備えた、データ処理回路解析システムであって、
該データ処理回路が、
サンプルデータセットにデータ検出アルゴリズムを適用して検出出力を得るように動作可能なデータ検出器回路と、
該検出出力内に残っているエラーの数に対応する出力側エラーカウントを生成するように動作可能な検出出力エラーカウント回路であって、該データ処理回路の外部に該出力側エラーカウントを提供するように動作可能である、検出出力エラーカウント回路と、
該検出出力にデータ復号化アルゴリズムを適用して復号化された出力を得るように動作可能なデータ復号化器回路と、
該復号化された出力内に残っているエラーの数に対応する入力側エラーカウントを生成するように動作可能な復号化出力エラーカウント回路であって、該データ処理回路の外部に該入力側エラーカウントを提供するように動作可能である、復号化出力エラーカウント回路とを備えており、
前記コンピューター可読媒体が、
該入力側エラーカウント及び該出力側エラーカウントに少なくとも部分的に基づいて該データ処理回路の特徴を求める、該プロセッサによって実行可能な命令を含む、
データ処理回路解析システム。
【請求項１３】
前記入力側エラーカウントが、第１の入力側エラーカウントであり、前記復号化された出力が、前記データ復号化アルゴリズムを前記検出出力に適用することの第１のローカル反復に対応する第１の復号化された出力であり、前記データ復号化器回路が、該データ復号化アルゴリズムを該検出出力に適用して、該データ復号化アルゴリズムを該検出出力に適用することの第１のローカル反復に対応する第２の復号化された出力を得るように動作可能であり、前記復号化出力エラーカウント回路が、該第２の復号化された出力内に残っているエラーの数に対応する第２の入力側エラーカウントを生成するように更に動作可能であり、前記データ処理回路の前記特徴が、所与のグローバル反復についての、該データ復号化器回路を通じた所望のローカル反復数を含む、請求項１２に記載のシステム。
【請求項１４】
前記データ処理回路の前記特徴が、定義されたセクター失敗率についての、前記データ検出器回路及び前記データ復号化器回路を通じた予想グローバル反復数である、請求項１２に記載のシステム。
【請求項１５】
前記データ検出アルゴリズムが、ビタビデータ検出アルゴリズム及び最大事後データ検出アルゴリズムからなる群から選択される、請求項１２に記載のシステム。
【請求項１６】
前記データ復号化器回路が、低密度パリティチェック復号化器回路である、請求項１２に記載のシステム。
【請求項１７】
前記データ処理システムが、記憶デバイス及び受信デバイスからなる群から選択されたデバイスの一部として実施される、請求項１２に記載のシステム。
【請求項１８】
前記プロセッサによって実行可能な前記命令が、複数の出力側エラーカウント及び複数の入力側エラーカウントをプロットするように実行可能な命令を含む、請求項１２に記載のシステム。
【請求項１９】
前記プロセッサによって実行可能な前記命令が、前記複数の出力側エラーカウントを平均化して第１の曲線を得ると共に前記複数の入力側エラーカウントを平均化して第２の曲線を得るように実行可能な命令を含む、請求項１８に記載のシステム。
【請求項２０】
記憶デバイスであって、
記憶媒体と、
該記憶媒体に対して配置されると共に、該記憶媒体上の情報に対応する検知信号を与えるように動作可能なヘッドアセンブリと、
読取りチャネル回路であって、
該検知信号に対応するアナログ信号を提供するように動作可能なアナログフロントエンド回路と、
該アナログ信号をサンプリングして一連のデジタルサンプルを得るように動作可能なアナログ／デジタル変換器回路と、
該デジタルサンプルを等化してサンプルセットを得るように動作可能な等化器回路と、
データ処理回路であって、
サンプルデータセットにデータ検出アルゴリズムを適用して検出出力を得るように動作可能なデータ検出器回路と、
該検出出力内に残っているエラーの数に対応する出力側エラーカウントを生成するように動作可能な検出出力エラーカウント回路であって、該データ処理回路の外部に該出力側エラーカウントを提供するように動作可能である、検出出力エラーカウント回路と、
該検出出力にデータ復号化アルゴリズムを適用して復号化された出力を得るように動作可能なデータ復号化器回路と、
該復号化された出力内に残っているエラーの数に対応する入力側エラーカウントを生成するように動作可能な復号化出力エラーカウント回路であって、該データ処理回路の外部に該入力側エラーカウントを提供するように動作可能である、復号化出力エラーカウント回路とを備える、データ処理回路と
を備える、読取りチャネル回路と
を備える、記憶デバイス。